【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
血管修復装置であって、
上流端部と、下流端部と、内側面とを備えている管状のグラフト本体と、
前記グラフト本体の前記内側面に部分的に取り付けられるクラスプステントと、を備えており、
前記クラスプステントは、上流頂部と、下流頂部と、隣接する当該上流及び下流頂部それぞれを連結する支柱とを規定する周囲を備えており、
当該支柱それぞれは、上流部と、下流部とを備えており、
前記支柱の少なくとも一部の上流部が、前記グラフト本体の前記内側面と連結しておらず、
前記連結していない支柱近くの前記上流頂部の一部が、前記グラフト本体の前記内側面と連結していないことを特徴とする装置。
【請求項２】
請求項１に記載の装置がさらに、前記上流端部と前記クラスプステントの上流に隣接する前記グラフト本体の周囲に取り付けられるクラウンステントを備えていることを特徴とする装置。
【請求項３】
請求項１に記載の装置において、前記下流頂部が、前記グラフト本体の前記内側面に取り付けられることを特徴とする装置。
【請求項４】
請求項２に記載の装置において、前記クラウンステントが、前記内側面に取り付けられることを特徴とする装置。
【請求項５】
請求項２に記載の装置において、
前記グラフト本体が外側面を備えており、
前記クラウンステントが前記外側面の周囲に取り付けられることを特徴とする装置。
【請求項６】
請求項２に記載の装置において、前記クラウンステントが、遠位頂部を規定する扇形リングであることを特徴とする装置。
【請求項７】
請求項６に記載の装置において、
前記扇形リングが、前記上流端部から見たときに凸状で湾曲した突出部を備え、前記遠位頂部により相互に連結されており、
前記遠位頂部が、前記クラスプステントの個別の遠位頂部に向かって前記クラスプステントの一対の隣接する近位頂部の間に少なくとも延在する頂部を有するＶ字型の伸長部であることを特徴とする装置。
【請求項８】
請求項１に記載の装置において、前記下流部が、前記支柱の長さの約１０％から約９０％であることを特徴とする装置。
【請求項９】
請求項１に記載の装置において、前記下流部が、前記支柱の長さの約６０％から約７０％であることを特徴とする装置。
【請求項１０】
請求項２に記載の装置において、前記上流端部が開口面を規定し、前記クラウンステントが、前記開口面の下流で前記グラフト本体に取り付けられることを特徴とする装置。
【請求項１１】
請求項２に記載の装置において、前記クラスプステントが、前記クラウンステントの下流に配置され、前記クラスプステントがステント捕捉アセンブリにより捕捉されたときに、ステント捕捉アセンブリを前記グラフト本体内に配置することを特徴とする装置。
【請求項１２】
請求項２に記載の装置において、前記クラスプステントと前記クラウンステントの少なくとも一方が、ニチノール、ステンレス鋼、生体高分子、コバルトクロム合金、及びチタン合金よりなる群から選択した材料で構成されることを特徴とする装置。
【請求項１３】
請求項２に記載の装置において、前記クラウンステント及び前記クラスプステントは、縫い目の間隔が約０．５ｍｍから約５ｍｍで、前記グラフト本体に縫い付けられることを特徴とする装置。
【請求項１４】
請求項２に記載の装置において、前記グラフト本体が拡張した直径を有し、前記クラウン及びクラスプステントが、前記拡張した直径よりも大きな静止した直径を有することを特徴とする装置。
【請求項１５】
請求項１に記載の装置において、前記上流頂部及び前記下流頂部が曲線的であることを特徴とする装置。
【請求項１６】
請求項１に記載の装置において、前記下流頂部が、所定の曲半径を有しており、前記上流頂部が、少なくとも前記所定の曲半径と同じ大きさの曲半径を有することを特徴とする装置。
【請求項１７】
請求項７に記載の装置において、
前記クラスプステントの前記支柱が実質的に直線状であり、
前記Ｖ字型の伸長部が、前記頂部それぞれに隣接する実質的に直線状の支柱を有することを特徴とする装置。
【請求項１８】
請求項１に記載の装置において、前記支柱の数が１０から２０であることを特徴とする装置。
【請求項１９】
請求項１に記載の装置がさらに、前記クラスプステントの下流で前記グラフト本体の周囲に取り付けられる少なくとも一つのステントを備えていることを特徴とする装置。
【請求項２０】
請求項１９に記載の装置において、前記グラフト本体が外側面を備えており、前記少なくとも一つのステントが、前記内側面及び外側面の少なくとも一方に縫い付けられることを特徴とする装置。
【請求項２１】
請求項１９に記載の装置において、
前記少なくとも一つのステントが多くの頂部を備えており、
前記クラスプステントが、前記少なくとも一つのステントよりも大きな多数の頂部を備えていることを特徴とする装置。
【請求項２２】
請求項１９に記載の装置において、
前記少なくとも一つのステントが近位及び遠位頂部を備えており、
前記下流頂部の前記曲半径が、前記少なくとも一つのステントの前記近位及び遠位頂部の曲半径と実質的に同じであることを特徴とする装置。
【請求項２３】
請求項２２に記載の装置において、前記クラスプステントの前記下流頂部の前記曲半径が、前記クラスプステントに隣接する前記少なくとも一つのステントの前記近位頂部の曲半径と同じであることを特徴とする装置。
【請求項２４】
請求項１９に記載の装置がさらに、
前記上流端部の近く、且つ前記クラスプステントの上流で前記グラフト本体の周囲に取り付けられたクラウンステントを備え、
前記クラウンステントと前記クラスプステントの少なくとも一方が、前記少なくとも一つのステントの幅よりも大きな幅を有することを特徴とする装置。
【請求項２５】
請求項１に記載の装置において、前記グラフト本体、前記上流部、及び前記上流頂部が、取り外し可能にステントグラスプ装置に連結するための連結領域を規定することを特徴とする装置。
【請求項２６】
請求項２に記載の装置がさらに、前記下流端部に隣接する前記グラフト本体の周囲に取り付けられる第２のクラウンステントを備えていることを特徴とする装置。
【請求項２７】
請求項２に記載の装置において、
前記クラウンステントが、遠位頂部により相互に連結される前記上流端部から見たときに凸状で湾曲した突出部を規定する扇形リングであり、
前記グラフト本体が、前記遠位頂部の各対から少なくとも部分的に取り外されることを特徴とする装置。
【請求項２８】
上流端部、下流端部、及び内側面を備える管状のグラフト本体であって、
前記上流端部に隣接する前記グラフト本体の周囲に取り付けられるクラウンステントと、
前記クラウンステントの下流で前記グラフト本体に部分的に取り付けられるクラスプステントとを備えるサポートフレームワークを備えており、
前記クラスプステントは、上流頂部と、下流頂部と、隣接する当該上流及び下流頂部それぞれを連結する支柱とを規定する周囲を備えており、
当該支柱それぞれが、上流部と、下流部とを備えており、
少なくとも一部の前記支柱の上流部が、前記グラフト本体の前記内側面と連結しておらず、
前記連結していない支柱近くの前記上流頂部の一部が、前記グラフト本体の前記内側面と連結していないことを特徴とするグラフト本体。
【請求項２９】
血管修復装置であって、
上流端部と内側面を有する管状のグラフト本体と、
クラスプステントを覆う前記グラフト本体の前記内側面に部分的に取り付けられるクラスプステントと、を備え、
前記クラスプステントは、上流頂部と、下流頂部と、隣接する当該上流及び下流頂部それぞれを連結する支柱とを規定する周囲を備えており、
当該支柱それぞれが、上流部と、下流部とを備えており、
前記支柱の前記下流頂部と前記下流部が、前記グラフト本体の前記内側面に取り付けられており、
前記上流の半分と前記上流頂部の一部のみが、前記グラフト本体の前記内側面に取り付けられることを特徴とする装置。
【請求項３０】
請求項２９に記載の装置がさらに、前記上流端部の近く、且つ前記クラスプステントの上流で前記グラフト本体の周囲に取り付けられるクラウンステントを備えていることを特徴とする装置。
【請求項３１】
請求項２９に記載の装置において、前記上流頂部のうち少なくとも３つが、前記グラフト本体と連結していないことを特徴とする装置。
【請求項３２】
請求項３１に記載の装置において、前記少なくとも３つの近位頂部の捕捉が、流体が前記グラフト本体内を流れるのを可能にするのに十分な大きさの中央開口を規定することを特徴とする装置。
【請求項３３】
請求項３０に記載の装置において、
前記上流頂部のうち少なくとも３つが、前記グラフト本体と連結しておらず、
前記少なくとも３つの近位頂部が前記グラフト本体の中心で捕捉されたときに、前記クラウンステントが前記上流端部を開いて、流体が前記グラフト本体内を流れるようにすることを特徴とする装置。
【請求項３４】
血管修復装置であって、
上流端部と、下流端部と、内側面とを備える管状のグラフト本体と、
少なくとも２つのステントを備える構造フレームワークとを備え、
第１の前記ステントが、前記上流端部に隣接する前記グラフト本体の周囲に連結し、
第２の前記ステントが、前記第１のステントの下流で前記グラフト本体に部分的に取り付けられ、
前記第２のステントが、上流頂部と、下流頂部と、隣接する当該上流及び下流頂部それぞれを連結する支柱とを規定する周囲を備えており、
当該支柱それぞれが、上流部と、下流部とを備えており、
前記支柱の少なくとも一部の前記上流部が、前記グラフト本体の前記内側面と連結しておらず、
前記連結していない支柱に隣接する前記上流頂部の一部が、前記グラフト本体の前記内側面と連結していないことを特徴とする装置。
【請求項３５】
請求項３４に記載の装置において、前記第２のステントが、前記第１のステントの下流でこれに隣接する前記グラフト本体の前記内側面に部分的に取り付けられることを特徴とする装置。
【請求項３６】
血管修復装置であって、
上流端部と、下流端部と、内側面とを備える管状のグラフト本体と、
少なくとも２つのステントを備える構造フレームワークとを備え、
第１の前記ステントが、前記上流端部に隣接する前記グラフト本体の周囲に連結され、
第２の前記ステントが、前記第１のステントの下流で前記グラフト本体に部分的に取り付けられ、
前記第２のステントが、上流頂部と、下流頂部と、隣接する当該上流及び下流頂部それぞれを連結する支柱とを規定する周囲を備えており、
当該支柱それぞれが、上流部と、下流部とを備えており、
前記支柱の前記下流頂部及び前記下流部が、前記グラフト本体の前記内側面に取り付けられており、
前記上流部と前記上流頂部の一部のみが、前記グラフト本体の前記内側面に取り付けられることを特徴とする装置。
【請求項３７】
請求項３６に記載の装置において、前記第２のステントが、前記第１のステントの下流でこれに近接する前記グラフト本体の前記内側面に部分的に取り付けられることを特徴とする装置。
【請求項３８】
血管修復装置であって、
上流端部と、下流端部と、内側面とを備える管状のグラフト本体と、
遠位部においてのみ前記グラフト本体に連結される近位部と遠位部を規定する定期的に変化する形状を有するクラスプステントと、を備えていることを特徴とする装置。
【請求項３９】
請求項３８に記載の装置がさらに、前記クラスプステントの前記上流端部の近く、且つこれの上流で、第２のステント全体に沿って前記グラフト本体に連結される第２のステントを備えていることを特徴とする装置。
【請求項４０】
血管修復装置であって、
上流端部と、下流端部と、内側面とを備える管状のグラフト本体と、
少なくとも２つのステントを備える構造フレームワークとを備え、
第１の前記ステントが、前記上流端部に隣接する前記第１のステントの全体に沿って前記グラフト本体に連結され、
第２の前記ステントが、近位部と遠位部を規定する定期的に変化する形状を有し、
前記第２のステントが、遠位部においてのみ前記第１のステントの下流で前記グラフト本体に連結されることを特徴とする装置。
【請求項４１】
血管修復装置であって、
上流端部と、下流端部と、内側面とを備える管状のグラフト本体と、
前記上流端部に隣接する前記グラフト本体の周囲に取り付けられるクラウンステントを備えるサポートフレームワークと、
前記クラウンステントの下流でこれに隣接する前記グラフト本体に部分的に取り付けられるクラスプステントと、を備え、
前記クラスプステントが、上流頂部と、下流頂部と、隣接する当該上流及び下流頂部それぞれを連結する支柱とを規定する周囲を備えており、
当該支柱それぞれが、上流部と、下流部とを備えており、
前記支柱の前記下流頂部及び前記下流部のみが、前記グラフト本体の前記内側面に取り付けられることを特徴とする装置。
【請求項４２】
請求項１に記載の装置において、前記クラスプステントが上流から下流の範囲を有し、前記グラフト本体が、前記上流から下流の範囲に広がることを特徴とする装置。